(57)【要約】  本発明は、薬液注入器に関する。特に、正確なボーラス注入回数を提供するボーラスカウンター（ｂｏｌｕｓ  ｃｏｕｎｔｅｒ）を含むことにより、ボーラス注入回数の管理を介して頻繁なボーラス注入による薬液過剰投与の問題を予防することができ、提供されたボーラス注入回数に基づく治療戦略の樹立によって治療効果の向上を図ることができる。
2021510549.tif 000002
【特許請求の範囲】
【請求項１】
上端にボタン開口が設けられたハウジングと、
薬液移送ラインに上流側からの薬液を貯蔵し、貯蔵された薬液を下流側へ排出するように連結され、前記ハウジングの内部に配置されたボーラスバッグと、
前記ボタン開口に上下移動可能に挿入されたボタン、及び前記ボタンから下方に延び、前記ボタンが下方に移動すると前記ボーラスバッグ内の薬液が排出されるように前記ボーラスバッグを加圧するプッシュロッドを有するボーラスボタンと、
前記ボタンが下方に移動する力で作動し、前記ボーラスボタンの操作によるボーラス注入回数を計数するように構成されたボーラスカウンターと、
を含む、薬液注入器。
【請求項２】
前記ボタンと前記プッシュロッドとの間には、前記ハウジングの上端の底面と接触して前記ボタンの上方移動を制限するストップフランジが設けられた、請求項１に記載の薬液注入器。
【請求項３】
前記ボーラスカウンターは、
前記プッシュロッドの外周に回転可能に嵌められたカウントディスクと、
前記カウントディスクの上面に所定の設定角度単位で円周方向に沿って設けられ、それぞれ円周方向に傾いた第１傾斜面を有する複数の第１歯と、
前記ストップフランジの下面に前記第１傾斜面に対応する第２傾斜面を有するように設けられ、下方への移動時に前記第２傾斜面が前記第１傾斜面と接触しながら前記カウントディスクを回転させる少なくとも一つの第２歯と、
前記カウントディスクに弾性力を付与して前記カウントディスクを上方に移動させる弾性部材と、
前記カウントディスクの周囲から前記第１歯の高さ以上に突出して、前記カウントディスクが前記弾性部材によって上方に移動するときに前記ハウジングの上端の底面と接触して互いに対応する前記第１傾斜面と前記第２傾斜面とを離隔させるスペーサーと、
前記カウントディスクの外周面に前記設定角度単位で円周方向に沿って設けられ、それぞれ上部に前記第１傾斜面と同じ円周方向に傾いた第１案内面を有する複数の案内歯と、
前記ハウジングの内周に前記カウントディスクが前記弾性部材によって上方に移動したときに前記案内歯のうちの少なくとも一つが嵌め込まれる案内溝を設け、下部に前記第１案内面に対応する第２案内面が形成されたガイドと、を含むことにより、
前記カウントディスクは、前記ボーラスボタンによって下方に移動すると、互いに対応する前記第１傾斜面と前記第２傾斜面によって前記設定角度の一部の角度で回転し、前記弾性部材によって上方に移動すると、前記第１案内面と前記第２案内面によって前記設定角度の残りの角度で回転することにより、前記第２傾斜面が隣接の他の前記第１傾斜面と対応するように配置される、
請求項２に記載の薬液注入器。
【請求項４】
前記スペーサーは、リング状に形成され、上面にボーラス注入回数を表示する表示部が設けられ、
前記ハウジングの上端には、前記表示部を露出させる表示開口が設けられた、
請求項３に記載の薬液注入器。
【請求項５】
前記ボーラスバッグは、薬液入口と薬液出口を有し、上部が開放された容器と、前記容器の開放された上部を遮蔽する膨張シートと、前記薬液出口を開閉するチェックバルブとを含み、
前記膨張シートは、前記薬液入口を介して前記容器内に流入した薬液によって膨張し、
前記チェックバルブは、前記薬液出口に前記薬液出口に沿って移動することができるように貫通した可動部材と、前記可動部材に前記可動部材の移動方向に沿って前記薬液出口の出口端を開閉することができるように結合された開閉部材と、前記開閉部材が閉鎖される方向に前記可動部材に弾性力を付与するチェックバルブ用弾性部材とを含むことにより、前記膨張シートが前記プッシュロッドに加圧されて前記容器内の圧力が上昇すると、前記開閉部材が開放される方向に前記可動部材が前記チェックバルブ用弾性部材の弾性力を克服しながら移動して前記薬液出口を開放する、
請求項１〜請求項４のいずれか１項に記載の薬液注入器。
【請求項６】
前記ハウジングの上端には、前記ボタン開口を介して突出した前記ボタンを保護するボタンカバーが前記ボタンの周囲のうち一方を除いた残りを全体的に取り囲むように形成された、請求項１〜請求項４のいずれか１項に記載の薬液注入器。
【請求項７】
前記薬液注入器は、前記ボタンが下方に移動して前記ボーラスバッグが加圧された状態に維持するためのボタンホルダーをさらに含み、
前記ボタンホルダーは、前記ボタンを加圧するためのボディと、前記ボディの下部に円周方向に沿って配置され、下端が円周方向に折り曲げられた複数の脚とを含み、
前記ハウジングの上端には、前記脚がそれぞれ挿入されるスロットが円周方向に設けられ、
前記脚は、前記スロットに挿入して回転させると分離が防止され、前記スロットに下端がかかったときに前記ボディによって前記ボタンが押圧される長さに形成された、
請求項１〜請求項４のいずれか１項に記載の薬液注入器。
【発明の詳細な説明】
【技術分野】
【０００１】
本発明の実施形態は、主に患者に液状の鎮痛剤を投与する目的で使用される薬液注入器に関する。
【背景技術】
【０００２】
一般に、痛みの管理が要求される患者には、痛みの緩和を目的としてアヘン系鎮痛剤を投与するが、アヘン系鎮痛剤は、過剰に投与すると、患者に筋肉硬直などによる呼吸困難で心肺停止を引き起こすことがあり、これとは逆に投与量が少なければ薬効に劣るので、定められた範囲内で一定の量を投与することが非常に重要である。よって、当該分野では、鎮痛剤などの薬液を患者に一定の量で提供する薬液注入器を使用しており、韓国特許第１０−１１２６２１３号公報、韓国特許第１０−１６３８９６９号公報などは、このような薬液注入器を開示している。これらの公報を参照して、従来技術による薬液注入器を考察する。
【０００３】
従来技術による薬液注入器は、第１移送ラインを介して薬液を患者に持続的に注入し、第２移送ライン及びボーラス装置を介して必要時に薬液をさらに注入することにより、患者に投与される薬液の量を一時的に増加させることができるように構成される。
【０００４】
従来技術による薬液注入器は、第１移送ラインを介して薬液を患者に持続的に注入し、第２移送ラインとボーラス装置を介して薬液をさらに注入することにより、患者に投与される薬液の量を必要に応じて一時的に増加させることができるように構成される。ボーラス装置は、第２移送ライン上のボーラスバッグ（ｂｏｌｕｓ  ｂａｇ）を含むので、ボーラスボタン（ｂｏｌｕｓ  ｂｕｔｔｏｎ）を操作すると、ボーラスバッグが加圧されながらボーラスバッグに貯蔵された薬液が排出される構成を有する。
【０００５】
ボーラス装置によれば、従来技術に係る薬液注入器は、患者が自分の状態に応じてボーラスボタンを直接操作して薬液をさらに投与することができるが、患者がボーラスボタンの操作によるボーラス注入回数を管理して薬液過剰投与を予防するためには、患者自身がボーラス注入回数をカウントして認知していなければならないので、使用の面で不便であるしかないという問題点がある。また、管理者（お医者さんなど）も患者によって行われたボーラス注入回数を正確に把握することができないので、薬液投与量の調節による治療効果の最大化を図ることが難しいという問題点がある。
【発明の概要】
【発明が解決しようとする課題】
【０００６】
本発明の実施形態は、ユーザー（患者、管理者など）がボーラス注入回数をより正確に認知することができる薬液注入器を提供しようとする。
【課題を解決するための手段】
【０００７】
本発明の実施形態によれば、上端（天井）にボタン開口が設けられたハウジング；薬液移送ラインに上流側からの薬液を貯蔵し、貯蔵された薬液を下流側へ排出するように連結され、前記ハウジングの内部に配置されたボーラスバッグ；前記ボタン開口に上下移動可能に挿入されたボタンと、前記ボタンから下方に延び、前記ボタンが下方に移動すると、前記ボーラスバッグ内の薬液が排出されるように前記ボーラスバッグを加圧するプッシュロッドとを有するボーラスボタン；及び前記ボタンが下方に移動する力で作動し、前記ボーラスボタンの操作によるボーラス注入回数を計数するように構成されたボーラスカウンターと；を含む、薬液注入器が提供できる。
【０００８】
前記ボタンと前記プッシュロッドとの間には、前記ハウジングの上端の底面と接触して前記ボタンの上方移動を制限するストップフランジが設けられてもよい。
【０００９】
前記ボーラスカウンターは、前記プッシュロッドの外周に回転可能に嵌められたカウントディスクと；前記カウントディスクの上面に所定の設定角度単位で円周方向に沿って設けられ、それぞれ円周方向に傾いた第１傾斜面を有する複数の第１歯と；前記ストップフランジの下面に前記第１傾斜面に対応する第２傾斜面を有するように設けられ、下方への移動時に前記第２傾斜面が前記第１傾斜面と接触しながら前記カウントディスクを回転させる少なくとも一つの第２歯と；前記カウントディスクに弾性力を付与して前記カウントディスクを上方に移動させる弾性部材と；前記カウントディスクの周囲から前記第１歯の高さ以上に突出して、前記カウントディスクが前記弾性部材によって上方に移動するときに前記ハウジングの上端の底面と接触して互いに対応する前記第１傾斜面と前記第２傾斜面とを離隔させるスペーサーと；前記カウントディスクの外周面に前記設定角度単位で円周方向に沿って設けられ、それぞれ上部に前記第１傾斜面と同じ円周方向に傾いた第１案内面を有する複数の案内歯と；前記ハウジングの内周に前記カウントディスクが前記弾性部材によって上方に移動したときに前記案内歯のうちの少なくとも一つが嵌め込まれる案内溝を設け、下部に前記第１案内面に対応する第２案内面が形成されたガイドと；を含むことにより、前記カウントディスクは、前記ボーラスボタンによって下方に移動すると、互いに対応する前記第１傾斜面と前記第２傾斜面によって前記設定角度の一部の角度で回転し、前記弾性部材によって上方に移動すると、前記第１案内面と前記第２案内面によって前記設定角度の残りの角度で回転することにより、前記第２傾斜面が隣接の他の前記第１傾斜面と対応するように配置できる。
【００１０】
前記スペーサーは、リング状に形成され、上面にボーラス注入回数を表示する表示部が設けられてもよい。そして、前記ハウジングの上端には、前記表示部を露出させる表示開口が設けられてもよい。
【００１１】
前記ボーラスバッグは、薬液入口と薬液出口を有し、上部が開放された容器と、前記容器の開放された上部を遮蔽する膨張シートと、前記薬液出口を開閉するチェックバルブとを含み、前記膨張シートは、前記薬液入口を介して前記容器内に流入した薬液によって膨張し、前記チェックバルブは、前記膨張シートが前記プッシュロッドによって加圧されて前記容器内の圧力が上昇すると開放される構成を持つことができる。
【００１２】
前記チェックバルブは、前記薬液出口に前記薬液出口に沿って移動することができるように貫通した可動部材と、前記可動部材に前記可動部材の移動方向に沿って前記薬液出口の出口端を開閉することができるように結合された開閉部材と、前記開閉部材が閉鎖される方向に前記可動部材に弾性力を付与するチェックバルブ用弾性部材とを含むことにより、前記膨張シートが前記プッシュロッドに加圧されて前記容器内の圧力が上昇すると（すなわち、前記容器内の圧力が前記チェックバルブ用弾性部材の弾性力に比べて大きければ）、前記開閉部材が開放される方向に前記可動部材が前記チェックバルブ用弾性部材の弾性力を克服しながら移動して前記薬液出口を開放することができる。
【００１３】
前記ハウジングの上端には、前記ボタン開口を介して突出した前記ボタンを保護するボタンカバーが前記ボタンの周囲のうち一方を除いた残りを全体的に取り囲むように形成されてもよい。
【００１４】
前記ボタンカバーには、携帯のためのクリップ、または携帯用紐を連結するための紐連結具が設けられてもよい。
【００１５】
前記薬液注入器は、前記ボタンが下方に移動して前記ボーラスバッグが加圧された状態に維持するためのボタンホルダーをさらに含み、前記ボタンホルダーは、前記ボタンを押圧するためのボディと、前記ボディの下部に円周方向に沿って配置され、下端が円周方向に折り曲げられた複数の係止脚とを含み、前記ハウジングの上端には、前記係止脚がそれぞれ挿入されるスロットが円周方向に設けられ、前記係止脚は、前記スロットに挿入して回転させると分離が防止され、前記スロットに下端がかかったときに前記ボディによって前記ボタンが押圧される長さに形成されてもよい。
【発明の効果】
【００１６】
本発明の実施形態によれば、ボーラスカウンターを介してボーラス注入回数を正確に計数して患者や管理者などのユーザーに提供することができる。また、これによれば、薬液投与がややともすれば過剰になる問題を予防することができる。
【００１７】
また、提供されたボーラス注入回数に基づく治療（痛みの管理）戦略の策定を通じて治療効果の向上を図ることができる。
【図面の簡単な説明】
【００１８】
【図１】本発明の第１実施形態による薬液注入器を互いに異なる方向からみた状態を示す斜視図である。
【図２】本発明の第１実施形態による薬液注入器を互いに異なる方向からみた状態を示す斜視図である。
【図３】本発明の第１実施形態による薬液注入器を示す分解斜視図である。
【図４】図３のボーラスバッグの構成及び作動を示す断面図である。
【図５】図３のボーラスバッグの構成及び作動を示す断面図である。
【図６】図３のボーラスカウンターの一部を示す断面図である。
【図７】図３と図６のボーラスボタン及び第２歯を示す斜視図である。
【図８】図３及び図６のカウントディスク、第１歯、スペーサー、案内歯及びガイドを示す斜視図である。
【図９】図３及び図６のカウントディスク、第１歯、スペーサー、案内歯及びガイドを示す斜視図である。
【図１０】本発明の第２実施形態による薬液注入器を示す分解斜視図である。
【発明を実施するための形態】
【００１９】
以下、添付図面を参照して本発明の好適な実施形態を説明する。
【００２０】
本発明の実施形態は、患者などの投与対象に鎮痛剤や抗生剤などの薬液を投与するために使用できる。
【００２１】
本発明の第１実施形態による薬液注入器の構成などが図１乃至図９に示されている。
【００２２】
図１乃至図３において、図面符号１及び２は、それぞれ薬液流入ホース１及び薬液流出ホース２を示し、薬液供給源からの薬液は、薬液流入ホース１と薬液流出ホース２を順次経由して患者に提供される。図３を参照すると、薬液流入ホース１には薬液分岐機構３が連結され、薬液流出ホース２には薬液合流機構４が連結され、薬液分岐機構３と薬液合流機構４は、第１移送ライン１０と第２移送ライン２０によって互いに連結される。
【００２３】
薬液分岐機構３は、入口に薬液流入ホース１が連結された単一の流入管３ｉと、流入管３ｉから分岐して２つの移送ライン１０、２０の両端のうちのいずれか一方にそれぞれ連結された２つの流量調節管３ａ、３ｂとを含む。ちなみに、２つの流量調節管３ａ、３ｂは毛細管（ｃａｐｉｌｌａｒｙ  ｔｕｂｅ）であってもよい。薬液合流機構４は、出口に薬液流出ホース２が連結された単一の合流管４ｊと、合流管４ｊから分岐して２つの移送ライン１０、２０の両端のうちの残りの一方にそれぞれ連結された２つの分岐管４ａ、４ｂとを含む。薬液流出ホース２の先端には、薬液を患者に注入するための注入ユニット（例えば、注射針やカテーテルなど）が連結できる。第１移送ライン１０と第２移送ライン２０には、弾性変形可能なシリコンチューブ、ＰＶＣチューブなどが適用できる。
【００２４】
本発明の第１実施形態に係る薬液注入器は、上述した薬液流入ホース１、薬液流出ホース２、薬液分岐機構３、薬液合流機構４、第１移送ライン１０、第２移送ライン２０、ハウジング（ｈｏｕｓｉｎｇ）３０、ボーラスバッグ４０、ボーラスボタン５０、及びボーラスカウンター（ｂｏｌｕｓ  ｃｏｕｎｔｅｒ）６０を含む。
【００２５】
図１及び図３を参照すると、ハウジング３０は、上部が開放されたハウジングボディ（ｈｏｕｓｉｎｇ  ｂｏｄｙ）３０Ａ、３０Ｂと、ハウジングボディ３０Ａ、３０Ｂの開放された上端を覆うハウジングキャップ（ｈｏｕｓｉｎｇ  ｃａｐ）３０Ｃとを含む。ハウジング３０は、ハウジングボディ３０Ａ、３０Ｂ及びハウジングキャップ３０Ｃによって限られた内部空間を有する。ハウジングボディ３０Ａ、３０Ｂは、ペアをなして互いに結合される左側ボディ３０Ａと右側ボディ３０Ｂで構成され、ハウジングキャップ３０Ｃは、ハウジングボディ３０Ａ、３０Ｂの上部に被せられた形で結合され、ハウジングボディ３０Ａ、３０Ｂが左側ボディ３０Ａと右側ボディ３０Ｂに分離されることを防止することができる。
【００２６】
ちなみに、薬液分岐機構３は、流入管３ｉの入口がハウジング３０の底−ハウジングボディ３０Ａ、３０Ｂの下端−を介して外部に露出するようにハウジング３０の内部空間における下部領域に配置できる。薬液合流機構４は、合流管４ｊの出口がハウジング３０の底を介して外部に露出するようにハウジング３０の内部空間における下部領域に配置できる。
【００２７】
図４及び図５などを参照すると、ボーラスバッグ４０は、内部に薬液が貯蔵される上部開放型構造の容器４１と、容器４１の開放された上部を遮蔽する膨張シート４２とを含む。容器４１は、第２移送ライン２０が連結される薬液入口４１ａと薬液出口４１ｂをそれぞれ有する。具体的には、第２移送ライン２０の上流側からの薬液が薬液入口４１ａに流入して容器４１に貯蔵され、容器４１の内部に貯蔵された薬液が薬液出口４１ｂを介して第２移送ライン２０の下流側に排出される連結構造を持つように構成される。
【００２８】
このようなボーラスバッグ４０は、ハウジング３０の内部空間に収容された状態で位置が固定される。ボーラスバッグ４０は、ハウジング３０の内部空間における中間領域に配置できる。
【００２９】
膨張シート４２としては、シリコン素材からなるシートが適用できる。膨張シート４２は、薬液入口４１ａを介して容器４１の内部に流入した薬液によって上方に凸状に膨張し、貯蔵された薬液が薬液出口４１ｂを介して排出されると、原状に復元される。もちろん、ボーラスバッグ４０の薬液貯蔵容量によっては、膨張シート４２は、薬液が流入しても上方に凸状に膨張することなく平らに維持され、外力で加圧されると、下方に凹むように変形してから、外力を除去すると、自体的な弾性、または容器４１の内部に流入する薬液によって原状に平らに復元できる。薬液出口４１ｂは、チェックバルブ（ｃｈｅｃｋ  ｖａｌｖｅ）４３によって開閉され、容器４１の内部に貯蔵された薬液は、チェックバルブ４３によって排出が制限される。チェックバルブ４３は、膨張した膨張シート４２が外力によって加圧され、容器４１内の圧力が上昇すると開放される構成を持つ。
【００３０】
図４及び図５において、図面符号４４は、ボーラスバッグ４０を構成する閉止キャップであって、閉止キャップ４４はリング状に形成される。閉止キャップ４４は、容器４１の上端における縁部に結合されるので、容器４１との間に膨張シート４２を介在して容器４１に超音波で融着され、膨張シート４２の分離を防止し、容器４１と膨張シート４２の気密を保つ。実施条件などによっては、閉止キャップ４４は、容器４１に超音波で融着されず、容器４１にボルトで結合されることもある。もちろん、これに限定されず、膨張シート４２の分離を防止することができるとともに、容器４１と膨張シート４２の気密を保つことができる他の様々な方式で閉止キャップ４４を結合することができる。
【００３１】
薬液供給源からの薬液は、薬液流入ホース１を沿って移送され、薬液分岐機構３で分岐してそれぞれ第１移送ライン１０と第２移送ライン２０に流入する。第１移送ライン１０からの薬液は、薬液合流機構４及び薬液流出ホース２を順次経て患者に持続的に注入される。第２移送ライン２０に流入した薬液はボーラスバッグ４０に貯蔵される。ボーラスバッグ４０内の薬液は、膨張した膨張シート４２が外力で加圧されると、ボーラスバッグ４０から第２移送ライン２０の下流側へ排出され、薬液合流機構４で第１移送ライン１０からの薬液と合わせられた後、薬液流出ホース２に沿って患者に注入される。
【００３２】
チェックバルブ４３は、昇降ロッド４３１と該昇降ロッド４３１の下端のベース４３２とからなる昇降部材（可動部材）を含む。昇降ロッド４３１とベース４３２とは一体型に形成できる。ベース４３２は、薬液出口４１ｂの出口端に比べて広い断面積を持つように形成される。ベース４３２は、薬液出口４１ｂの出口端側に配置され、昇降ロッド４３１は、薬液出口４１ｂに薬液出口４１ｂに沿って上下方向に移動可能に貫通して上端が薬液出口４１ｂの入口端側に配置される。
【００３３】
チェックバルブ４３は、弾性部材であるラバーコーン（ｒｕｂｂｅｒ  ｃｏｒｎ）４３３と、薬液出口４１ｂの出口端を開閉する弾性材質の開閉部材４３４とをさらに含む。
【００３４】
ラバーコーン４３３は、昇降部材４３１、４３２が上昇するように昇降部材４３１、４３２に弾性力を与えるので、上端及び下端の両方ともが開放される中空構造を有し、昇降ロッド４３１の外周に嵌められた状態で昇降ロッド４３１に上部が結合され、下端が薬液出口４１ｂの入口端の周囲に支持される。昇降ロッド４３１は、ラバーコーン４３３が分離されることを防止するためのフック（ｈｏｏｋ）を有することができる。
【００３５】
開閉部材４３４は、薬液出口４１ｂの出口端とベース４３２との間に介在され、ベース４３２に比べて広い断面積を持つように形成され、ラバーコーン４３３の作用により薬液出口４１ｂの出口端の周りに密着して薬液出口４１ｂを閉鎖状態に維持する。
【００３６】
図４及び図５において、図面符号４１ｃは、薬液出口４１ｂの入口端の周囲と薬液出口４１ｂの内部とを連通させる溝で形成された連通路である。連通路４１ｃは、薬液出口４１ｂの入口端の周囲にラバーコーン４３３の下端が密着して薬液出口４１ｂへの薬液注入が遅延または遮断されることを防止する。
【００３７】
一方、実施条件などによっては、ラバーコーン４３３の代わりにスプリングを適用して昇降部材４３１、４３２に弾性力を付与し、薬液出口４１ｂを開閉部材４３４によって閉鎖された状態に維持することもできる。
【００３８】
図１及び図３を参照すると、ハウジング３０の天井を構成するハウジングキャップ３０Ｃの上端における中央部分にはボタン開口３１が上下に貫通し、ボタン開口３１にはボーラスボタン５０が配置される。
【００３９】
ボーラスボタン５０は、ボタン開口３１に上下方向に直線移動可能に挿入された上部のボタン５１、ボタン５１から下方に直線構造を持つように延びた下部のプッシュロッド（ｐｕｓｈ  ｒｏｄ）５２、及びボタン５１とプッシュロッド５２との間に設けられたストップフランジ（ｓｔｏｐ  ｆｌａｎｇｅ）５３とを含む。プッシュロッド５２は、ハウジング３０の内部空間における上部領域に配置できる。
【００４０】
プッシュロッド５２は、ボタン５１を押すと、ボタン５１と一緒に下方に移動してボーラスバッグ４０内の薬液が排出されるように膨張した膨張シート４２を加圧し（図５参照）、下方に移動し続けると、チェックバルブ４３の昇降部材４３１、４３２を加圧する。膨張した膨張シート４２に対する加圧の際に、開閉部材４３４は、上昇したボーラスバッグ４０の内部圧力で変形して薬液出口４１ｂに対する閉鎖状態が解除できる。このとき、昇降部材４３１、４３２もある程度下降することができる。チェックバルブ４３に対する加圧の際に、昇降部材４３１、４３２は、開閉部材４３４が薬液出口４１ｂの出口端及びその周囲から離隔するように下降する。
【００４１】
ストップフランジ５３は、ハウジングキャップ３０Ｃの上端の底面と接触してボタン５１の上方移動を制限する。
【００４２】
ボーラスカウンター６０は、ボーラスボタン５０が操作されてボタン５１が下方に移動する力によって作動し、ボーラスボタン５０の操作によるボーラス注入回数を計数するように構成される。ボーラスカウンター６０は、カウントディスク（ｃｏｕｎｔ  ｄｉｓｃ）６１、複数の第１歯６２、複数の第２歯６３、弾性部材６４、スペーサー（ｓｐａｃｅｒ）６５、複数の案内歯６６、及び少なくとも一対のガイド（ｇｕｉｄｅ）６７を含む。
【００４３】
図６を参照すると、カウントディスク６１は、円形の横断面を持つプッシュロッド５２の外周にプッシュロッド５２を中心に回転可能に嵌められる。このために、カウントディスク６１の中央部分には上下方向に貫通孔が形成される。
【００４４】
図６及び図８を参照すると、第１歯６２は、カウントディスク６１の上面から同じ高さで突出するので、カウントディスク６１の上面に所定の設定角度単位で円周方向に沿って設けられ（例えば、２４個の第１歯が１５度単位で設けられ得る。）、それぞれ円周方向に傾いた第１傾斜面６２ａを有する。第２歯６３は、ストップフランジ５３の下面から同一高さで突出するが、ストップフランジ５３の下面に第１歯６２と同じ設定角度単位で円周方向に沿って設けられ、それぞれ第１傾斜面６２ａに対応する形状の第２傾斜面６３ａを持つように形成され、ストップフランジ５３と一緒に下方に移動するとき、第２傾斜面６３ａが第１傾斜面６２ａと接触しながらカウントディスク６１を回転させる。
【００４５】
弾性部材６４は、コイルスプリング（ｃｏｉｌ  ｓｐｒｉｎｇ）であるので、カウントディスク６１に所定の弾性力を与えてボーラスボタン５０と一緒に下方に移動したカウントディスク６１を上方に移動させる役割を果たす。一例として、弾性部材６４は、上側がカウントディスク６１の下側に支持され、下側が閉止キャップ４４の上側に支持され得る。
【００４６】
図６及び図８を参照すると、スペーサー６５は、カウントディスク６１の周囲から第１歯６２の高さ以上に突出して、カウントディスク６１が弾性部材６４によって上方に移動するときにハウジングキャップ３０Ｃの上端の底面と接触して互いに対応する第１傾斜面６２ａと第２傾斜面６３ａとを離隔させる。
【００４７】
図６、図８及び図９を参照すると、案内歯６６は、カウントディスク６１の外周面に第１歯６２と同じ設定角度単位で円周方向に沿って設けられ、それぞれ上部に第１傾斜面６２ａと同じ円周方向に傾いた第１案内面６６ａを有する。ペアをなすガイド６７は、ハウジング３０の内周にカウントディスク６１が弾性部材６４によって上方に移動したときに案内歯６６の少なくとも一つが嵌め込まれる案内溝６７ｂを設け、下部に第１案内面６６ａに対応する第２案内面６７ａが形成される。
【００４８】
上述したようなボーラスカウンター６０におけるカウントディスク６１は、ボタン５１の押圧操作によって下方に移動すると、互いに対応する第１傾斜面６２ａと第２傾斜面６３ａによって設定角度の一部の角度（例えば、７．５度）で回転する。すなわち、図６を参照すると、第１傾斜面６２ａが第２傾斜面６３ａと接触しながら第２傾斜面６３ａを加圧するので、カウントディスク６１がボタン５１と一緒に移動しながら回転する。
【００４９】
これとは逆に、カウントディスク６１は、ボタン５１の押圧操作が解除されることにより、弾性部材６４によって上方に移動すると、第１案内面６６ａと第２案内面６７ａによって設定角度の残りの角度（例えば、７．５度）で回転することにより、第２傾斜面６３ａが隣接の他の第１傾斜面６２ａと対応する。この時、カウントディスク６１の回転は、図９を参照すると、第１案内面６６ａが第２案内面６７ａに接触した状態で上方に移動し続けようとする作用で行われる。この過程でボタン５１も一緒に上方に移動する。
【００５０】
もちろん、以後にボタン５１をさらに押すと、カウントディスク６１が設定角度でさらに回転し、第２傾斜面６３ａが隣接の次の第１傾斜面６２ａと対応して、ボタン５１をさらに押すとき、カウントディスク６１を設定角度で再度回転させることができるようにセットされる。よって、ボタン５１を押す操作だけでカウントディスク６１を設定角度単位で回転させることができる。
【００５１】
参考として、図９は第１案内面６６ａと第２案内面６７ａとの結合関係を表現するためにカウントディスク６１、スペーサー６５などを除いて一部の案内歯６６だけを示すものである。
【００５２】
図８に示すように、スペーサー６５は、リング状に形成され、上面にボーラス注入回数を表示する表示部６５ａが設けられる。表示部６５ａは、スペーサー６５の上面に円周方向に沿って設定角度単位で表示された数字であり得る。図１に示すように、ハウジングキャップ３０Ｃの上端には、このような表示部６５ａを露出させる表示開口３２が設けられる。表示開口３２は、当該ボーラス注入回数を表示する数字だけ露出させる大きさを持つように形成できる。
【００５３】
図１を参照すると、ハウジングキャップ３０Ｃの上端には、ボタン開口３１を介して突出したボタン５１を保護するボタンカバー３４がボタン５１の周囲のうちのいずれか一方を除いた残りを全体的に取り囲むように形成される。ボタンカバー３４によれば、ボタン５１が意図せずに押されてボーラス注入が行われることを防止することができる。
【００５４】
図２に示すように、ボタンカバー３４には、携帯のためのクリップ（ｃｌｉｐ）７１が設けられてもよく、携帯用紐７２を連結するための紐連結具３５としての穴などが設けられてもよい。
【００５５】
図３を参照すると、本発明の第１実施形態による薬液注入器は、ボーラスバッグ４０からの薬液を一時的に貯蔵し、一時貯蔵薬液を薬液流出ホース２で持続的に流出させてボーラスボタン５０を再度操作することなく薬液を患者に所定の時間追加提供する薬液持続的流出手段９０をさらに含む。薬液持続的流出手段９０は、ボーラスバッグ４０を構成する容器４１の薬液出口４１ｂと第２移送ライン２０の下流側の入口端に薬液流動可能に連結できる。また、薬液持続的流出手段９０は、ハウジング３０の内部空間における下部領域に配置できる。
【００５６】
このような薬液持続的流出手段９０は、バルーン（ｂａｌｌｏｏｎ）と逆流防止機構を含み、ボーラスボタン５０のボタン５１を押すと、患者にさらに投与する薬液がバルーンに流入してバルーンが膨張しながら、バルーンに薬液が貯蔵された後、バルーンが自体の復元力によって収縮されながら薬液が排出され、薬液排出時に逆流防止機構によって逆流が防止される構成を持つ。薬液持続的流出手段９０は、韓国特許第１０−１１２６２１３号公報に開示された薬液持続的流出手段と実質的に同一または類似に構成されて作動するものなので、これについての詳細な説明は省略する。
【００５７】
図１における図面符号８０は、ボタン５１が下方に移動してボーラスバッグ４０が加圧された状態に維持するためのボタンホルダー（ｂｕｔｔｏｎ  ｈｏｌｄｅｒ）である。
【００５８】
ボタンホルダー８０は、ボタン５１を押すための板状のボディ８１と、ボディ８１の下部に円周方向に沿って配置され、下端が円周方向に折り曲げられた脚８２とを含む。
【００５９】
ボディ８１の上部にはハンドル８３が設けられ得る。ハンドル８３は、上方に突出した形状に形成できる。ハンドル８３によれば、ユーザーはボタンホルダー８０を容易に取り扱うことができる。
【００６０】
ハウジングキャップ３０Ｃの上端には、ボタンホルダー８０の脚８２がそれぞれ上方から下方に挿入されるスロット（ｓｌｏｔ）３３が円周方向に沿って一定の間隔を置いて設けられ、脚８２は、スロット３３に挿入して回転させると、分離（上方への移動）が防止され、スロット３３に下端がかかったときにボディ８１によってボタン５１が押圧される長さに形成される。この時、プッシュロッド５２は、チェックバルブ４３を加圧して開閉部材４３４が薬液出口４１ｂの出口端及びその周囲から離隔するように昇降部材４３１、４３２を下降させる。
【００６１】
このような構成のボタンホルダー８０によれば、本発明の第１実施形態による薬液注入器は、ボーラスバッグ４０が加圧された状態に維持されるので、患者に使用する前に薬液流路（薬液流入ホース１、薬液流出ホース２、薬液分岐機構３、薬液合流機構４、移送ライン１０、２０など）を介して薬液を流して薬液流路から空気を排出させるプライミング（ｐｒｉｍｉｎｇ）作業の際に、薬液がボーラスバッグ４０に貯蔵される時間を大幅に減少させることができ、これによりプライミング作業を迅速に行うことができる。
【００６２】
本発明の第１実施形態による薬液注入器は、プライミング作業完了後にボタンホルダー８０が除去された状態で使用される。
【００６３】
本発明の第２実施形態による薬液注入器が図１０に示されている。図１０に示すように、本発明の第２実施形態による薬液注入器は、本発明の第１実施形態と比較してみるとき、その他の構成および作用はすべて同一であるのに対し、第１移送ライン１０ａ、１０ｂを介して患者に持続的に注入される薬液の流量を調節する流量制御装置９５、９６をさらに含むことだけが異なる。
【００６４】
第１移送ライン１０ａ、１０ｂは、複数備えられ、これにより、薬液分岐機構３及び薬液合流機構４がそれぞれ３以上の流量調整管３ａ、３ｂ、３ｃ及び３以上の分岐管４ａ、４ｂ、４ｃを有するように構成される。流量調節管３ａ、３ｂ、３ｃのうち、第１移送ライン１０ａ、１０ｂにそれぞれ連結された流量調節管は、薬液が互いに異なる流量で流れるように構成される。
【００６５】
流量制御装置９５、９６は、回転可能なノブ（ｋｎｏｂ）９５と、ノブ９５の回転角度に応じて第１移送ライン１０ａ、１０ｂを選択的に開閉して第１移送ライン１０ａ、１０ｂをすべて開放するか或いは第１移送ライン１０ａ、１０ｂの少なくとも一つを閉鎖する管路開閉手段９６とを含む。
【００６６】
図面符号３６はノブ開口を示す。ハウジング３０の内部空間に回転可能に配置されたノブ９５は、ハウジングボディ３０Ａ、３０Ｂのノブ開口３６を介して外部に露出される。
【００６７】
このような流量制御装置９５、９６及びその関連構成は、韓国特許公報第１０−１６３８９６９号公報及び同第１０−１７３９３６８号公報に開示された流量制御装置などと実質的に同一または類似に構成されて作動するものなので、これについてのより詳細な説明は省略する。
【図１】
2021510549.tif 000003
【図２】
2021510549.tif 000004
【図３】
2021510549.tif 000005
【図４】
2021510549.tif 000006
【図５】
2021510549.tif 000007
【図６】
2021510549.tif 000008
【図７】
2021510549.tif 000009
【図８】
2021510549.tif 000010
【図９】
2021510549.tif 000011
【図１０】
2021510549.tif 000012
【国際調査報告】
2021510549.tif 000013
2021510549.tif 000014
2021510549.tif 000015
2021510549.tif 000016